(57)【要約】【目的】コントローラ内のＣＰＵの消費電力、ＨＤＤを駆動する消費電力を最小限に抑えてバッテリーの消耗を防ぐことができ、ＡＣ電源が得られない回診での使用において撮影枚数を増やすことができるＸ線画像撮影装置の提供。【構成】Ｘ線画像を撮影する平面センサパネルと、撮影した画像の保存や画像処理をするコントローラとそれらを駆動するためのバッテリーから構成されるＸ線画像撮影装置において、ＡＣ電源が供給されているか検知する手段を設け、ＡＣ電源が供給されていない場合は平面センサパネルから取得した画像の保存のみ行い、画像処理を行わない。この場合、平面センサパネルから取得した画像の保存のみを行い、画像処理を行わないモードを設ける。【選択図】      図１
2005027739.tif 000002
【特許請求の範囲】
【請求項１】
Ｘ線画像を撮影する平面センサパネルと、撮影した画像の保存や画像処理をするコントローラとそれらを駆動するためのバッテリーから構成されるＸ線画像撮影装置において、
ＡＣ電源が供給されているか検知する手段を設け、ＡＣ電源が供給されていない場合は平面センサパネルから取得した画像の保存のみ行い、画像処理を行わないことを特徴とする放射線画像撮影装置。
【請求項２】
平面センサパネルから取得した画像の保存のみを行い、画像処理を行わないモードを設けたことを特徴とする請求項１記載のＸ線画像撮影装置。
【発明の詳細な説明】
【０００１】
【発明の属する技術分野】
本発明は、Ｘ線画像撮影装置に関するものである。
【０００２】
【従来の技術】
従来、医療診断を目的としたＸ線撮影装置においては、Ｘ線検出部に増感紙とフィルムとを組み合わせたＸ線写真方式が広く使用されている。この方式によれば、患者を透過したＸ線が増感紙に入射すると、その増感紙に含まれる蛍光体が入射したＸ線エネルギーを吸収して蛍光を発し、この蛍光がＸ線フィルムを感光させる。そして、このフィルムを現像処理することによってＸ線画像を可視化して診断を行っている（例えば、特許文献１参照）。
【０００３】
ところが、近年、デジタル技術の進歩によりＸ線画像をデジタルデータとして検出・生成する装置が活発に開発されている。その１つの例として、Ｘ線に対して感度を持ち、検出したＸ線の強度に応じた電気信号に変換・出力する固体撮像素子を利用して、これらの素子から出力されるアナログ信号をＡ（アナログ）／Ｄ（デジタル）変換によってデジタル画像データとして取り出す平面センサパネルを用いたＸ線撮影装置等が提案されている。
【０００４】
このようなデジタルＸ線撮影装置は、コントローラにおいて平面センサパネルから取り出した画像データに対して感度補正、暗電流補正、シェーディング補正、濃度特性を決めるためのルックアップテーブル等の画像処理が施される。更には、エッジ強調やＤＲ圧縮等の画像処理によって、より診断し易い画像に加工することもでき、従来の現像処理のフィルムに対するメリットにもなっている。
【０００５】
又、Ｘ線撮影装置やＸ線発生装置の小型化に伴い、病院内を回診しながら撮影することができるデジタルＸ線撮影装置のシステムも開発されている。回診を前提とする撮影システムではＡＣ電源が得られない場合もあるため、バッテリーが搭載されている。このようなシステムによって、撮影室に行くことが困難な患者に対しても、回診による撮影を行うことが広く行われるようになってきている。
【０００６】
回診時の撮影フローは、撮影室での撮影と同様であり、平面センサパネルを患者の撮影したい部分に設定してＸ線を照射する。コントローラは、平面センサパネルから画像データを受け取ると、画像処理を施して診断に適した画像に加工する。
【０００７】
このように回診においても、デジタル化、小型化により、フィルムの入れ換えや現像の手間がなく、短時間且つ簡単な操作で撮影を行うことができるようになった。
【０００８】
【特許文献１】
特開平０９−３２１２６７号公報
【発明が解決しようとする課題】
しかしながら、上記従来例においては、以下のような問題があった。
【０００９】
即ち、バッテリー駆動の回診システムにおいては、ＡＣ電源が得られない状況の場合、撮影直後に画像処理を行うと、コントローラ内のＣＰＵやＨＤＤを駆動するための電力を消費するため、バッテリーが消耗して撮影枚数が少なくなるという問題があった。
【００１０】
本発明は上記問題に鑑みてなされたもので、その目的とする処は、コントローラ内のＣＰＵの消費電力、ＨＤＤを駆動する消費電力を最小限に抑えてバッテリーの消耗を防ぐことができ、ＡＣ電源が得られない回診での使用において撮影枚数を増やすことができるＸ線画像撮影装置を提供することにある。
【００１１】
【課題を解決するための手段】
上記目的を達成するため、請求項１記載の発明は、Ｘ線画像を撮影する平面センサパネルと、撮影した画像の保存や画像処理をするコントローラとそれらを駆動するためのバッテリーから構成されるＸ線画像撮影装置において、ＡＣ電源が供給されているか検知する手段を設け、ＡＣ電源が供給されていない場合は平面センサパネルから取得した画像の保存のみ行い、画像処理を行わないことを特徴とする。
【００１２】
又、請求項２記載の発明は、請求項１記載の発明において、平面センサパネルから取得した画像の保存のみを行い、画像処理を行わないモードを設けたことを特徴とする。
【００１３】
【発明の実施の形態】
以下に本発明の実施の形態を添付図面に基づいて説明する。
【００１４】
＜実施の形態１＞
図１は本発明の実施の形態１に係るＸ線画像撮影装置の構成を示すブロック図である。
【００１５】
図１に示すＸ線画像撮影装置１００は、コントローラ部１０１、操作表示部１０２、バッテリー部１０３、センサ部１０４から構成される。バッテリー部１０３は、コントローラ部１０１、操作表示部１０２、センサ部１０４を駆動するための２次電池で、ＡＣ電源に接続されている場合に充電が行われる。内部にはＡＣ電源検知部１０５があり、コントローラ部１０１にＡＣ電源の供給の状況を通知することができる。操作表示部１０２は、タッチパネルになっており、情報の表示手段と操作の入力手段を兼ねている。センサ部１０４は、患者を透過してきたＸ線の強度に応じたアナログ信号をＡ／Ｄ変換によってデジタル画像データとして取り出す平面センサパネルである。
【００１６】
コントローラ部１０１は、ＣＰＵ、メモリ、ＨＤＤ等が内蔵されており、撮影に必要な一連の制御を行う。具体的には、操作表示部１０２から患者情報の入力、撮影部位の選択を行い、Ｘ線発生装置１１０に対して照射の許可／不許可を行い、照射後センサ部１０４から画像データを読み込み、読み込んだ画像データに対する適切な画像処理をして操作表示部１０２に表示したり、画像データをコントローラ部１０１内部のＨＤＤに保存する。回診が終了してから、コントローラ部１０１をネットワークに接続すれば、プリンタや画像サーバー等に画像データを送信することも可能である。
【００１７】
又、Ｘ線発生装置１１０は高電圧を発生する装置で、Ｘ線管球１１１が接続されており、適切な管電流、管電圧、照射時間等を設定してＸ線の照射ができるようになっている。管電流、管電圧、照射時間等はコントローラ部１０１からも設定できるようになっている。尚、図示していないが、Ｘ線発生装置１１０は、Ｘ線画像撮影装置１００とは別に電源を確保しているものとする。コントローラ部１０１はＸ線発生装置１１０に対して、撮影の準備が整ったときのみ照射を許可し、普段は照射を許可しないようにする安全のための信号を送信し、照射時には照射終了の信号を受信する。
【００１８】
Ｘ線画像撮影装置１００及びＸ線発生装置１１０は上記のような機能を有している。
【００１９】
次に、本発明に係るＸ線画像撮影装置における撮影時の手順を図２及び図３に示すフローチャートに基づいて説明する。尚、これらのフローチャートでは、患者情報の入力や撮影部位の選択は省略されているが、実際には照射の前にそれらの操作は行われるものとする。
【００２０】
図２は本発明に係るＸ線画像撮影装置における撮影時のフローチャートである。先ず、患者情報の入力や撮影部位の選択後、センサ部１０４を患者の撮影する部位に設置し、ステップＳ２００において技師が患者に対して照射を行う。照射が行われると、センサ部１０４では患者を透過してきたＸ線の強度に応じたデジタルの画像データが作成される。コントローラ部１０１は、ステップＳ２０１においてこの画像データを取得し、コントローラ部内部のＨＤＤ等の記憶装置に格納する。このときの画像の格納場所は、画像処理を施していない画像専用の格納場所とする。
【００２１】
次に、コントローラ部１０１は、ステップＳ２０２においてＡＣ電源が供給されているか判断する。ここでは、バッテリー部１０３内部のＡＣ電源検知部１０５によりコントローラ部１０１に通知されたＡＣ電源の状況により判断を行う。このとき、ＡＣ電源が供給されていると判断した場合は、ステップＳ２０３において画像処理を開始する。尚、画像処理に時間が掛かる場合は、撮影シーケンスの制御とは別の画像処理専用のプロセスを起動して画像処理と次の撮影が同時に進行するような実装にしても良い。
【００２２】
画像処理は、画像処理を施していない画像専用の格納場所から画像データを読み込み、画像処理後、ＨＤＤ内の画像処理済みの画像専用の格納場所に記録する。又、ステップＳ２０２においてＡＣ電源が供給されていないと判断した場合は、画像処理を行うことなく次の撮影に移行する。
【００２３】
以上のような撮影時のシーケンスにより、回診時等、ＡＣ電源が供給されない状況においては、センサ部１０４から読み出した画像をＨＤＤに保存するのみで、画像処理を行わないで次の撮影に移行するので、画像処理に必要なＣＰＵの駆動電力、ＨＤＤの駆動電力を必要とせず、バッテリー部１０３の消耗を防ぐことができる。
【００２４】
又、ＡＣ電源の供給が確認できた時点で、画像処理を施していない画像専用の格納場所に画像データが存在する場合は、自動的に画像処理のプロセスを起動するように実装しても良い。
【００２５】
＜実施の形態２＞
次に、本発明の実施の形態２について説明する。
【００２６】
本実施の形態に係るＸ線画像撮影装置は、ＡＣ電源検知部１０５が存在せず、操作表示部１０２に図４に示すような画像処理のスイッチを設ける。図４の（１）は画像処理を行う状態で、この状態でスイッチのボタンに触れると（２）の画像処理を行わない状態になる。操作表示部１０２はタッチパネルになっていて、画面のボタンに触れるたびに画像処理のＯＮ／ＯＦＦを切り替えることができる。
【００２７】
図３は本実施の形態の撮影時のフローチャートである。
【００２８】
先ず、患者情報の入力や撮影部位の選択後、センサ部１０４を患者の撮影する部位に設置し、ステップＳ３００において技師が患者に対して照射を行う。照射が行われると、センサ部１０４では患者を透過してきたＸ線の強度に応じたデジタルの画像データが作成される。コントローラ部１０１は、ステップＳ３０１においてこの画像データを取得し、コントローラ部内部のＨＤＤ等の記憶装置に格納する。このときの画像の格納場所は画像処理を施していない画像専用の格納場所とする。
【００２９】
次に、コントローラ部１０１は、ステップＳ３０２において画像処理スイッチがＯＮになっているか判断する。このとき、画像処理スイッチがＯＮになっている場合は、ステップＳ３０３において画像処理を開始する。尚、画像処理に時間が掛かる場合は、撮影シーケンスの制御とは別の画像処理専用のプロセスを起動して画像処理と次の撮影が同時に進行するような実装にしても良い。
【００３０】
画像処理は、画像処理を施していない画像専用の格納場所から画像データを読み込み、画像処理後、ＨＤＤ内の画像処理済みの画像専用の格納場所に記録する。又、ステップＳ３０２において画像処理スイッチがＯＦＦになっている場合は、画像処理を行わないで次の撮影に移行する。
【００３１】
このように、回診時等、ＡＣ電源が得られない状況で画像処理スイッチをＯＦＦに設定すれば、センサ部１０４から読み出した画像をＨＤＤに保存するのみで、画像処理を行わないで次の撮影に移行するので、画像処理に必要なＣＰＵの駆動電力、ＨＤＤの駆動電力を必要とせず、バッテリー部１０３の消耗を防ぐことができる。
【００３２】
【発明の効果】
以上の説明で明らかなように、本発明によれば、ＡＣ電源が得られない場合、撮影したＸ線画像の保存のみ行い、画像処理を行わないため、コントローラ内のＣＰＵの消費電力、ＨＤＤを駆動する消費電力を最小限に抑えてバッテリーの消耗を防ぐことができ、ＡＣ電源が得られない回診での使用において撮影枚数を増やすことができるという効果が得られる。
【００３３】
又、本発明によれば、ＡＣ電源の検知手段を設けなくても画像処理を行わないモードに設定できるため、上記と同様の効果が得ることができる。
【図面の簡単な説明】
【図１】本発明に係るＸ線画像撮影装置の構成を示すブロック図である。
【図２】ＡＣ電源検知手段がある場合の撮影時の手順を示すフローチャートである。
【図３】画像処理の実施を選択できる場合の撮影時の手順を示すフローチャートである。
【図４】画像処理スイッチの例を示す図である。
【符号の説明】
１００      Ｘ線画像撮影装置
１０１      コントローラ部
１０２      操作表示部
１０３      バッテリー部
１０４      センサ部
１０５      ＡＣ電源検知部
１１０      Ｘ線発生装置
１１１      Ｘ線管球
【図１】
2005027739.tif 000003
【図２】
2005027739.tif 000004
【図３】
2005027739.tif 000005
【図４】
2005027739.tif 000006